(57)【特許請求の範囲】
【請求項１】
ローカルに電力供給されるように構成され、かつローカルエリアネットワークに端末を接続するリンクを介して遠隔電力供給を受けるように構成された端末であって、前記端末は、ローカル電源と、前記リンクの少なくとも２つの導体に接続された識別モジュールとを含み、前記識別モジュールは、前記端末が遠隔電力供給を受けるように構成されていることを、遠隔検出することを可能とし、さらに、
所定の遠隔電力供給電流を引き出すための手段と、
前記ローカル電源が正常に動作しているときには前記電流引出し手段を作動させ、前記ローカル電源が正常に動作していないときには前記電流引出し手段を抑制するための手段を含む制御手段と
を備え、
前記制御手段はさらに、前記遠隔電力供給が前記リンクに印加されていないときには前記電流引出し手段を抑制するための手段を含む、端末。
【請求項２】
遠隔電力供給電流を引き出すための前記手段が、前記制御手段によって制御されるスイッチを介して前記遠隔電力供給を分路する抵抗を含む、請求項１に記載の端末。
【請求項３】
遠隔電力供給電流を引き出すための前記手段が、前記制御手段によって制御されるスイッチを介して前記遠隔電力供給を分路する抵抗を含み、前記抵抗は、遠隔電力供給を受けるように構成された端末が存在していることを遠隔検出することを可能とする識別モジュールの一部である、請求項１に記載の端末。
【発明の詳細な説明】
【０００１】
本出願は、２０００年１０月５日出願の仏国特許出願第００  １２  ７２５号に基づくものである。その開示全体が参照により本出願に組み込まれており、優先権が主張されている。
【０００２】
【発明の属する技術分野】
本発明は、ローカルに電力供給されるように構成され、かつコンピュータローカルエリアネットワーク、例えばイーサネットネットワークに端末を接続するリンクを介して遠隔電力供給を受けるように構成された端末に関する。
【０００３】
【従来の技術】
従来、コンピュータローカルエリアネットワークに接続される端末（例えばパーソナルコンピュータ、プリンタなど）は、主幹線電源からローカルに電力供給されている。したがってデータ接続とは別の１１０Ｖまたは２２０Ｖ電源コードが端末に電力供給しているが、この解決法はローカルエリアネットワークの設置をより困難にしている。それは、
２つのコードを使用するため、全体のサイズの問題が生じる。さらに、これは人の動きを制限する場合がある。
【０００４】
電気的な危険を招く。
【０００５】
という理由による。
【０００６】
やはり主幹線電源からローカルに電力供給される電話は、特に火事あるいは自然災害によって主幹線電力のサービスが中断されると、電話サービスが不能になるという欠点を有している。従来の電話が、バックアップバッテリを備えた市内交換局からの遠隔電力供給を受けているのは、上記の理由によるものである。
【０００７】
コンピュータローカルエリアネットワークに接続された電話端末が使用され始めている。コンピュータローカルエリアネットワークに接続される端末の中には、データの送受信に使用されるリンクと同じリンクを介して遠隔電力供給を受けることが望ましい場合がある。遠隔電力供給電流を伝送する方法の１つは、リンクの８本の線のうちの２つを使用して電力を伝送し、残りの４本で２対の線を構成してそれぞれデータの送信および受信に使用することである。他の方法は、重信回線として知られる方法で、遠隔電力供給装置内の電源発生器の２つの端子を、データ受信用の１対に接続された変圧器巻線およびデータ送信用の１対に接続された別の変圧器巻線の各センタータップに接続する方法である。端末端部における電源電圧は、データ受信用の１対に接続された変圧器巻線およびデータ送信用の１対に接続された別の変圧器巻線の各センタータップによって供給される。
【０００８】
いずれの場合においても、端末へのコンピュータローカルエリアネットワークを介しての遠隔電力供給の提供には、遠隔電力供給装置が端末を選ばずに電力供給するという欠点がある。リンク端のＲＪ４５コネクタを、電話以外の種類の端末（例えばパーソナルコンピュータ、プリンタなど）に接続することができるが、端末の電気回路を損傷する危険がある。通常、端末のＲＪ４５コネクタは、以下に示す方法で使用されている。
【０００９】
８本の線のうちの４本が、データ送信用およびデータ受信用の２対に分割されている。端末は、データ受信用の１対に接続された巻線を有する変圧器、およびデータ送信用の１対に接続された巻線を有する変圧器を備えている。上記各巻線は、抵抗値の小さい抵抗を介して基準電位に接続することができるセンタータップを有している。
【００１０】
使用されない残りの４本の線は、上記最初の４本の線を通して伝送されるデータ信号によって誘導されるあらゆる漏話電流を除去し、かつ不要な電磁放射を低減させるために、しばしば抵抗およびコンデンサの組合せを介して接地されている。この抵抗およびコンデンサの組合せ、あるいは変圧器のセンタータップに接続された抵抗に比較的高い電源電圧、例えば４８Ｖが印加されると、それらの抵抗を通って流れる電流により抵抗が破壊される。
【００１１】
ネットワークを介して遠隔電力供給を受けるようには構成されていない端末がネットワークに接続された場合においても、損傷の危険を全く伴うことなく、遠隔電力供給をコンピュータローカルエリアネットワークを介して端末に提供するための方法について、現在、調査が進められている。
【００１２】
この種の方法は、
ローカルエリアネットワークを遠隔端末に接続するための少なくとも２つのリンク導体に対する単一または複数の試験信号であって、いかなる状況下においても端末を損傷することのないエネルギーの試験信号を生成するステップと、
リンク内の試験信号によって生成される電流に基づいて、リンクを遠隔端末内で分路する識別モジュールの存在を検出することにより、遠隔電力供給を受けるように構成された遠隔端末が存在していることを検出するステップと、
遠隔電力供給を受けるように構成された端末の存在が検出された場合、また、その存在が検出された場合に限り、リンクを介して遠隔電力供給電流を伝送するステップと
からなっている。
【００１３】
この種の方法によれば、遠隔電力供給を受けるように構成された端末として識別されるまで遠隔電力供給電流が提供されないため、端末に対するあらゆる危険を防止することができる。試験信号電流および試験信号の継続時間は、遠隔電力供給の提供に先立つ、遠隔電力供給を受けるように構成された端末の存在を検出する操作が、その端末が遠隔電力供給を受けるように構成されていない端末である場合に、いかなる損傷の原因にもならないように選択される。
【００１４】
また、端末がリンクから開放されたならば、遠隔電力供給を直ちに中断しなければならない。なぜなら、いつでも別の端末を接続することができるためである。したがって遠隔電力供給中には、遠隔電力供給電流を測定することにより、端末の存在が常に検出されるための装置が備えられている。引き出される遠隔電力供給電流が、ある時間の間じゅうずっと所定のしきい値未満に減少していたことが検出されると、遠隔電力供給装置は、端末の開放があった、と結論づけることになる。上記時間間隔は、実際に端末の開放が存在したことを確信するのに十分な所定の継続時間を有している。
【００１５】
以下に列挙する端末は、同一コンピュータローカルエリアネットワークで使用されている端末である。ローカルにのみ電力供給される端末、遠隔電力供給によってのみ電力供給される端末、および、通常動作時はローカルに電力供給され、ローカル電源の故障時は、少なくとも基本機能を維持するために、遠隔電力供給を受けるように構成された端末。
【００１６】
上記最後に挙げた種類の端末は、常に遠隔電力供給を受けなければならない端末の識別モジュールと類似の識別モジュールを備えているが、ローカルに電力供給されているため、遠隔電力供給電流を引き出さないことは明らかである。遠隔電力供給装置にとっては、遠隔電力供給電流が流れないならば、端末が開放されている状態と似たようなものである。遠隔電力供給電流が流れないならば、遠隔電力供給装置はリンクを介しての遠隔電力供給を停止する。したがってローカル電源はバックアップを持たないことになる。この問題に対する１つの可能な解決法は、２つの遠隔電力供給極を分路するような、かつ遠隔電力供給から連続的に引き出す電流がしきい値を超えるような抵抗値の抵抗を端末内に備えることであるが、この解決法には以下に示す２つの欠点がある。
【００１７】
【発明が解決しようとする課題】
ローカル電源をバックアップする際に、遠隔電力供給がこの種の端末に提供することができる最大電力の減少が無視できないほど大きい。例えば、しきい値が２０ｍＡ、遠隔電力供給の公称電圧が４８Ｖの場合、無駄に散逸される電力は、端末当たり約１Ｗである。また、リンクを介して引き渡すことができる最大電力が、例えば１４Ｗの場合、端末への遠隔電力供給の有効最大電力は、わずかに１３Ｗでしかなく、端末の能力を低下させる。
【００１８】
上記追加抵抗が、特に、端末の種類を識別するための検査の間、上記識別モジュールを短絡するので、遠隔電力供給を受けるように構成された端末の識別モジュールの実施が極めて困難である。追加抵抗は、モジュールの見掛けの電気特性を改変するので、満足に動作する識別モジュールの製作がより複雑になっている。
【００１９】
本発明の第１の目的は、端末のローカル電源バックアップ時に、遠隔電力供給が提供することができる電力をより有効に利用することを可能にすることである。
【００２０】
【課題を解決するための手段】
本発明は、ローカルに電力供給されるように構成され、かつローカルエリアネットワークに端末を接続するリンクを介して遠隔電力供給を受けるように構成された端末であって、
端末は、ローカル電源と、リンクの少なくとも２つの導体に接続された識別モジュールとを含み、識別モジュールは、端末が遠隔電力供給を受けるように構成されていることを、遠隔検出することを可能にし、さらに、
所定の遠隔電力供給電流を引き出すための手段と、
ローカル電源が正常に動作しているときには電流引出し手段を作動させ、ローカル電源が正常に動作していないときには電流引出し手段を抑制するための手段を含む制御手段と
を備えている端末を提供することである。
【００２１】
ローカル電源が端末に電力供給することができない場合、上記端末は、遠隔電力供給が提供することができる最大電力の全てを利用することができる。なぜなら、ローカル電源が復旧したことが識別されるまでは、所定の遠隔電力供給電流を引き出す手段の動作を制御手段が抑制するからである。
【００２２】
ローカル電源が復旧すると、上記端末は、端末が従前通り接続されていることを遠隔電力供給装置に検出させるのに十分な所定遠隔電力供給電流を再び引き出す。
【００２３】
好ましい実施形態では、制御手段はさらに、遠隔電力供給がリンクに加えられていないときには電流引出し手段を抑制するための手段を備えている。したがって、遠隔電力供給の提供に先立って実施される、遠隔電力供給を受けるように構成された端末であるかどうかを検出するプロセスの間、電流引出し手段が識別モジュールの動作に影響を及ぼすことはない。
【００２４】
以下の説明および添付の図面により、本発明がより深く理解され、また、本発明のその他の特徴が明らかになるであろう。
【００２５】
【発明の実施の形態】
図１は、中継器３内の遠隔電力供給装置の一実施形態、および、ローカルに電力供給され、かつ２つのデータ送信／受信対を使用した同相重信回線を介する遠隔電力供給によってバックアップされる従来技術による端末２の一実施形態の構成図を示したものである。リンクＬは、以下に示す４本の対を含んでいる。
【００２６】
Ａ１およびＡ２：使用せず
Ｂ１およびＢ２：使用せず
Ｃ１およびＣ２：ネットワークへのデータ伝送用（差動モード）
Ｄ１およびＤ２：端末へのデータ伝送用（差動モード）
対Ｃ１、Ｃ２および対Ｄ１、Ｄ２は同相モードとしても使用され、重信回線を介して端末２に遠隔電力供給が提供される。
【００２７】
中継器３は、遠隔電力供給装置３１および結合器３２を備えている。遠隔電力供給装置３１は、遠隔電力供給を受けるように構成された端末が存在していることを検出するように構成されている。結合器３２は、２つの変圧器３３および３４を備えており、端末へ送信する信号Ｔｘおよび端末から受信する信号Ｒｘをそれぞれ伝達している。各変圧器は一次巻線および二次巻線を有している。各変圧器の一次巻線は、対Ｄ１、Ｄ２および対Ｃ１、Ｃ２にそれぞれ接続されている。また、各変圧器の一次巻線は、遠隔電力供給を受けるように構成された端末の存在を検出するように構成された遠隔電力供給装置３１の出力に接続されたセンタータップをそれぞれ有している。変圧器の二次巻線は、図示されていないが、中継器３の他の装置に接続されている。
【００２８】
端末２は、分割器２０および電圧降下直流／直流変換器２２を備えている。分割器２０は、２つの変圧器４１および４０を備えており、中継器３へ送信する信号Ｔｘ’および端末２が受信する信号Ｒｘ’をそれぞれ伝達している。各変圧器は一次巻線および二次巻線を有している。各変圧器の一次巻線は、対Ｄ１、Ｄ２および対Ｃ１、Ｃ２にそれぞれ接続されている。また、各変圧器の一次巻線はセンタータップを有している。これらのセンタータップは、直流遠隔電力供給電圧Ｖｒを提供している。この実施例では、変圧器４１の一次巻線のセンタータップが遠隔電力供給の正極を構成しており、ダイオードＤ２を介して変換器２２の正の入力に接続されている。変圧器４０の一次巻線のセンタータップは遠隔電力供給の負極を構成し、変換器２２の負の入力に直接接続されている。
【００２９】
従来技術による識別モジュール２１が、遠隔電力供給の上記２つの極を分路し、遠隔電力供給装置３１による、遠隔電力供給を受けるように構成された端末の検出を可能にしている。識別モジュール２１の電気特性は、変換器２２に供給される遠隔電力供給電圧を短絡しないように、また、端末のＲＪ４５コネクタの利用可能な導体に定期的に接続される成端と容易に区別することができるように選択されている。識別モジュール２１内の遠隔電力供給の上記２つの極の間に抵抗Ｒ１が接続されており、しきい値（この場合、２０ｍＡ）以上の電流を引き出している。抵抗Ｒ１は、端末２の開放を検出するための、遠隔電力装置３による遠隔電力供給電流の検出を可能にしているが、識別モジュール２１の電気特性に影響を及ぼし、そのためにモジュールの製作をより複雑にしている。
【００３０】
ローカル電源は、５０Ｖの公称直流電圧を供給する従来の主幹線電源２４であり、例えば、公称遠隔電力供給電圧は４８Ｖである。主幹線電源２４の正極は、ダイオードＤ１を介して変換器２２の正の入力に接続されている。ダイオードＤ１の陽極が正の入力に接続されている。主幹線電源２４の負極は、変換器２２の負の入力に直接接続されている。正常動作時では、２つの電源電圧の差によりダイオードＤ１が導通し、ダイオードＤ２は非導通である。したがってモジュール２１内に抵抗Ｒ１がなかったならば、遠隔電力供給電流は流れないはずである。
【００３１】
主幹線電力のサービスが中断されると、主幹線電源２４によって供給されている電圧が消失し、それによりダイオードＤ２が導通し、ダイオードＤ１は非導通となる。したがって変換器２２は、遠隔電力供給の助けを借りて動作を維持することができる。抵抗Ｒ１は、同じ遠隔電力供給電流の引出しを継続している。
【００３２】
主幹線電力のサービスが中断している間、端末の基本機能用として遠隔電力供給電流を保留し、大量のエネルギーを消費する他の非基本機能には遠隔電力供給電流を供給しないようにすることができる。
【００３３】
他の実施形態では、重信回線を介して遠隔電力供給を提供する代わりに、端末が必要とする電力に応じて、
導体Ａ１およびＡ２のみを介して、または
導体Ｂ１およびＢ２のみを介して、または
導体Ａ１、Ａ２、Ｂ１およびＢ２を同時に介して、または
導体Ａ１、Ａ２、Ｂ１、Ｂ２および重信回線を同時に介して
遠隔電力供給を提供することができる。
【００３４】
図２は、２つのデータ送信／受信対を用いた同相重信回線を介して遠隔電力供給を受ける、本発明による端末２の一実施形態の構成図を示したものである。図１と類似の構成要素については、同一の参照番号が付されている。特に、遠隔電力装置３は図１と同一である。端末２’は、図１の端末２とは異なり、実質的に遠隔電力供給電流を引き出さない識別モジュール２９を備えている。端末２’はさらに、所定の遠隔電力供給電流（この例の場合、少なくとも２０ｍＡ）を引き出すための回路２３を備えている。回路２３は、ローカル電源２４が動作している場合には作動し、ローカル電源２４が動作していない場合、および遠隔電力供給が印加されていない場合には作動しないように構成されている。
【００３５】
図３は、上記回路２３の構成図を示したものである。この実施形態では、回路２３は、
それぞれ遠隔電力供給装置の負極および正極に接続された第１の端子および第２の端子と、主幹線電源２４の正極に接続された第３の端子の３つの端子と、
第１の端子が回路２３の負の端子に接続された抵抗Ｒ１’と、
エミッタが回路２３の正の端子に接続され、コレクタが抵抗Ｒ１’の第２の端子に接続された、スイッチとして使用されるＰＮＰバイポーラトランジスタＴ０と、
回路２３の負の端子に接続された入力部、回路２３の第３の端子に接続された入力部、およびトランジスタＴ０のベースに２進信号を印加する出力部を有する制御回路２６と
を備えている。
【００３６】
制御回路２６は、遠隔電力供給電圧Ｖｒと、例えば３０Ｖのしきい値とを比較し、遠隔電力供給が印加されていることを検出している。また、制御回路２６は、遠隔電力供給電圧Ｖｒと、ローカル電源２４の電圧Ｖｌとを比較している。遠隔電力供給が印加されていない場合、遠隔電力供給の２つの極を分路している追加抵抗Ｒ１’を接続しても役に立たないばかりでなく、識別モジュール２９の実施に影響を及ぼすことになる。そこで、この場合は、制御回路２６によってトランジスタＴ０がターンオフされる。トランジスタＴ０がターンオフされると、遠隔電力供給装置３１は、識別モジュール２９のみを注目することができる。
【００３７】
遠隔電力供給が印加され、かつローカル電源２４が正常に動作している場合、遠隔電力供給電圧Ｖｒは、ローカル電源２４の電圧Ｖｌより低いので、制御回路２６はトランジスタＴ０を飽和させる。トランジスタＴ０が飽和すると、抵抗Ｒ１’が遠隔電力供給装置の２つの極の間に接続される。ダイオードＤ２が非導通であるため、遠隔電力供給から引き出される電流は、抵抗Ｒ１’によってのみ決定される。抵抗Ｒ１’の抵抗値は、流れる電流が少なくともしきい値、この場合２０ｍＡになるように選択されている。
【００３８】
遠隔電力供給が印加され、かつローカル電源２４が動作していない（例えば、主幹線の電力サービスの中断による）場合は、制御回路２６によってトランジスタＴ０がターンオフされる。遠隔電力供給から引き出される電流は、変換器２２によって引き出される電流である（識別モジュール２９によって引き出される電流は無視することができる）。
【００３９】
以下で説明するが、他の実施形態では、識別モジュール２１および回路２３は、単一の回路に組み込まれている。
【００４０】
図４は、従来技術による識別モジュール２１の第１の実施形態を構成している識別モジュール２１ａのより詳細な構成図を示したものである。識別モジュール２１ａは、モジュールの負の端子と正の端子の間に直列に接続されたダイオードＤ３、２５ｋΩの抵抗Ｒ０およびダイオードＤ４と、ダイオードＤ３とＤ４の間に挿入された抵抗Ｒ１ａとを含んでいる。ダイオードＤ３の陰極は、モジュールの負の端子に接続されている。ダイオードＤ４の陽極は、モジュールの正の端子に接続されている。抵抗Ｒ０の抵抗値は、遠隔電力供給電圧を印加する前に、遠隔電力供給を受けるように構成された端末の存在を検出することができる値に選択されている。
【００４１】
遠隔電力供給が印加されていると、ダイオードＤ３およびＤ４はいずれも導通状態になるが、引き出される電流は、遠隔電力供給を受けるように構成された端末の存在を検出するためのしきい値電流よりも遥かに小さい。抵抗Ｒ１ａに遠隔電力供給の正極および負極を分路させる理由はそこにある。抵抗Ｒ１ａの抵抗値は、遠隔電力供給の印加後における開放を検出することができるよう、遠隔電力供給が印加されているときにおける引出し電流が少なくとも２０ｍＡになるように選択されている。
【００４２】
図５は、モジュール２１ａの機能と回路２３の機能を組み合わせた回路である、第１の実施形態を構成している回路２１ｂの構成図を示したものである。回路２１ｂは、
それぞれ遠隔電力供給装置の負極および正極に接続された第１の端子および第２の端子と、主幹線電源２４の正極に接続された第３の端子の３つの端子と、
モジュール２１ｂの負の端子と正の端子の間に直列に接続されたダイオードＤ３’、抵抗Ｒ１ｂ、抵抗Ｒ３およびダイオードＤ４’（抵抗Ｒ１ｂおよびＲ３はダイオードＤ３’およびＤ４’の間に挿入されている）と、
エミッタがモジュール２１ｂの正の端子に接続され、コレクタが抵抗Ｒ１ｂおよびＲ３の共通ポイントに接続された、スイッチとして使用されるＰＮＰバイポーラトランジスタＴ１と、
モジュール２１ｂの正の端子に接続された入力部、モジュール２１ｂの第３の端子に接続された入力部、およびトランジスタＴ１のベースに２進制御信号を印加する出力部を有するアナログ制御回路２５と
を備えている。この例では、Ｒ１ｂ＋Ｒ３＝Ｒ０＝２５ｋΩである。
【００４３】
制御回路２５は、遠隔電力供給電圧Ｖｒと、例えば３０Ｖのしきい値とを比較し、遠隔電力供給が印加されているかどうかを検出している。また、制御回路２５は、遠隔電力供給電圧Ｖｒと、ローカル電源２４の電圧Ｖｌとを比較している。遠隔電力供給が印加されていない場合、電源の２つの極を分路している抵抗値を小さくしても役に立たないばかりでなく、識別モジュール２１ｂの実施に影響を及ぼすことになる。そこでこの場合は、制御回路２５によってトランジスタＴ１がターンオフされる。トランジスタＴ１がターンオフされると、回路２１ｂは、端末を識別するプロセスの間、正に従来技術による識別モジュール２１ａに似た挙動をする。
【００４４】
遠隔電力供給が印加され、かつローカル電源２４が正常に動作している場合、遠隔電力供給電圧Ｖｒは、ローカル電源２４の電圧Ｖｌより低いので、制御回路２５はトランジスタＴ１を飽和させる。トランジスタＴ１が飽和すると、トランジスタＴ１は、ダイオードＤ４’および抵抗Ｒ３を実質的に短絡させる。引き出される電流は、抵抗Ｒ１ｂによってしきい値より大きい値に固定される（抵抗Ｒ１ｂの抵抗値は、この例では、遠隔電力供給電流が少なくとも２０ｍＡになるように選択されている）。
【００４５】
ローカル電源２４が動作していない（例えば、主幹線の電力サービスの中断による）場合は、制御回路２５によってトランジスタＴ１がターンオフされる。引き出される遠隔電力供給電流は、変換器２２によって引き出される電流と、抵抗Ｒ１ｂおよびＲ３の合計抵抗値によって決まる電流とを合わせた値になる。抵抗Ｒ１ｂおよびＲ３の合計抵抗値によって決まる電流は無視することができる（約２ｍＡ）。
【００４６】
図６は、従来技術による識別モジュール２１の第２の実施形態を構成している識別モジュール２１ｃの詳細構成図を示したものである。識別モジュール２１ｃは、モジュールの負の端子と正の端子の間に直列に接続された、抵抗Ｒ５（２ｋΩ）とダイオードＤ５の並列および抵抗Ｒ６（１００ｋΩ）とコンデンサＣ１（０．３ないし１μＦ）の並列を含んでいる。ダイオードＤ５の陰極は、モジュールの負の端子に接続されている。コンデンサＣ１の一方の端子および抵抗Ｒ６の一方の端子は、モジュールの正の端子に接続されている。これらの部品の値は、遠隔電力供給電圧の印加に先立って実施される直流試験および交流試験によって、遠隔電力供給を受けるように構成された端末の存在を検出することができるように選択されている。
【００４７】
遠隔電力供給が印加されているとダイオードＤ５が導通し、したがって引き出される電流は、ダイオードＤ２が非導通である限り、抵抗Ｒ６の抵抗値によって決定される。しかし、引き出される電流は、遠隔電力供給を受けるように構成された端末の存在を遠隔電力供給中に検出することができるようにするためのしきい値電流（２０ｍＡ）より遥かに小さい。遠隔電力供給の正極および負極を分路する抵抗Ｒ１ｃを設ける理由はそこにある。抵抗Ｒ１ｃの抵抗値は、遠隔電力供給の印加後における開放を検出することができるよう、遠隔電力供給が印加されているときにおける合計引出し電流が少なくとも２０ｍＡになるように選択されている。
【００４８】
図７は、モジュール２１ｃの機能と回路２３の機能を組み合わせた回路の一実施形態を構成している回路２１ｄの詳細構成図を示したものである。回路２１ｄは、
それぞれ遠隔電力供給装置の負極および正極に接続された第１の端子および第２の端子と、主幹線電源２４の正極に接続された第３の端子の３つの端子と、
モジュール２１ｄの負の端子と正の端子の間に直列に接続された、抵抗Ｒ１ｄおよびＲ８の直列接続とダイオードＤ５’との並列、および、抵抗Ｒ９（１００ｋΩ）とコンデンサＣ１’（コンデンサＣ１と類似）の並列と、
エミッタがモジュール２１ｄの正の端子に接続され、コレクタが抵抗Ｒ１ｄおよびＲ８の共通ポイントに接続された、スイッチとして使用されるＰＮＰバイポーラトランジスタＴ２と、
モジュール２１ｄの正の端子に接続された入力部、モジュール２１ｄの第３の端子に接続された入力部、およびトランジスタＴ２のベースに２進信号を印加する出力部を有するアナログ制御回路２８と
を備えている。この例では、Ｒ１ｄ＋Ｒ８＝Ｒ５＝２ｋΩである。
【００４９】
制御回路２８は、遠隔電力供給電圧Ｖｒと、例えば３０Ｖのしきい値とを比較し、遠隔電力供給が印加されていることを検出している。また、制御回路２８は、遠隔電力供給電圧Ｖｒと、ローカル電源２４の電圧Ｖｌとを比較している。遠隔電力供給が印加されていない場合、遠隔電力供給の２つの極を分路している抵抗値を小さくしても役に立たないばかりでなく、識別モジュール２１ｄの実施に影響を及ぼすことになる。そこでこの場合は、制御回路２８によってトランジスタＴ２がターンオフされる。トランジスタＴ２がターンオフされると、回路２１ｄは、端末を識別するプロセスの間、正に従来技術による識別モジュール２１ｃに似た挙動をする。
【００５０】
遠隔電力供給が印加され、かつローカル電源２４が正常に動作している場合、遠隔電力供給電圧Ｖｒは、ローカル電源２４の電圧Ｖｌより低いので、制御回路２８はトランジスタＴ２を飽和させる。トランジスタＴ２が飽和すると、トランジスタＴ２は、抵抗Ｒ８および抵抗Ｒ９を実質的に短絡させる。引き出される電流は、抵抗Ｒ１ｄによってしきい値より大きい値に固定される（抵抗Ｒ１ｄの抵抗値は、この例では、遠隔電力供給電流が少なくとも２０ｍＡになるように選択されている）。
【００５１】
ローカル電源２４が動作していない（例えば、主幹線の電力サービスの中断による）場合は、制御回路２８によってトランジスタＴ２がターンオフされる。引き出される遠隔電力供給電流は、変換器２２によって引き出される電流と、抵抗Ｒ１ｄ、Ｒ８およびＲ９の合計抵抗値によって決まる電流とを合わせた値になる。抵抗Ｒ１ｄ、Ｒ８およびＲ９の合計抵抗値によって決まる電流は無視することができる（約０．５ｍＡ）。
【図面の簡単な説明】
【図１】ローカルに電力供給され、かつローカルエリアネットワークとの接続を介して遠隔電力供給を受けるように構成された、少なくとも１つの従来技術による端末を含むローカルエリアネットワークの一例の一部を示す構成図である。
【図２】本発明による端末の第１の実施形態を含むローカルエリアネットワークの一例の一部を示す構成図である。
【図３】本発明による端末の、図２に示す第１の実施形態の一部を示す構成図である。
【図４】従来技術による識別モジュールの第１の実施形態のより詳細な構成図である。
【図５】本発明による端末の第２の実施形態の一部を示す構成図である。
【図６】従来技術による識別モジュールの第２の実施形態のより詳細な構成図である。
【図７】本発明による端末の第３の実施形態の一部を示す構成図である。
【符号の説明】
Ａ１、Ａ２、Ｂ１、Ｂ２、Ｃ１、Ｃ２、Ｄ１、Ｄ２  リンクＬに含まれる対
Ｃ１、Ｃ１’  コンデンサ
Ｄ１、Ｄ２、Ｄ３、Ｄ３’、Ｄ４、Ｄ４’、Ｄ５、Ｄ５’  ダイオード
Ｌ  リンク
Ｒ０、Ｒ１、Ｒ１’、Ｒ１ａ、Ｒ１ｂ、Ｒ１ｃ、Ｒ１ｄ、Ｒ３、Ｒ５、Ｒ６、Ｒ８、Ｒ９  抵抗
Ｒｘ  端末から受信する信号
Ｒｘ’  端末が受信する信号
Ｔ０、Ｔ１、Ｔ２  ＰＮＰバイポーラトランジスタ
Ｔｘ  端末へ送信する信号
Ｔｘ’  中継器へ送信する信号
Ｖｒ  直流遠隔電力供給電圧
２、２’  端末
３  中継器
２０  分割器
２１、２１ａ、２１ｃ、２９  識別モジュール
２１ｂ  識別モジュール２１ａの機能と回路２３の機能を組み合わせた回路
２１ｄ  識別モジュール２１ｃの機能と回路２３の機能を組み合わせた回路
２２  電圧降下直流／直流変換器
２３  所定の遠隔電力供給電流を引き出す回路
２４  従来の主幹線電源
２５、２６、２８  制御回路
３１  遠隔電力供給装置
３２  結合器
３３、３４、４０、４１  変圧器
【図１】
0003914019.tif 000002
【図２】
0003914019.tif 000003
【図３】
0003914019.tif 000004
【図４】
0003914019.tif 000005
【図５】
0003914019.tif 000006
【図６】
0003914019.tif 000007
【図７】
0003914019.tif 000008